(57)【要約】      （修正有）【課題】保持する手の人指し指と親指の間が納まり固定され、滑り動くことがなく演奏することができるスライド式クロマチックハーモニカを提供する。【解決手段】カバー１が、ボディー２の底面よりも更に下方に長深く形成されたスライド式クロマチックハーモニカにおいて、ボディーの前後を覆うカバーの両裾の左右端部を内側に約２０ｍｍ、底から約１０ｍｍ切り欠き、手の人差し指と親指の間で保持できる切り欠き保持部６を設けたことを特徴とする切り欠き保持部付きスライド式クロマチックハーモニカ。【選択図】図１
0003168860.tif 000002
【実用新案登録請求の範囲】
【請求項１】
カバーが、ボディーの底面よりも更に下方に長深く形成されたスライド式クロマチックハーモニカにおいて、ボディーの前後を覆うカバーの両裾の左右端部を内側に約２０ｍｍ、底から約１０ｍｍ切り欠き、手の人差し指と親指の間で保持できる切り欠き保持部を設けたことを特徴とする切り欠き保持部付きスライド式クロマチックハーモニカ。
【考案の詳細な説明】
【技術分野】
【０００１】
本発明は、半音切り替え可能なスライド式クロマチックハーモニカに関するものである。
【背景技術】
【０００２】
スライド式クロマチックハーモニカを演奏する際、一般的には片方の手の人差し指と親指で前後のカバーを挟み、もう一方の手の人差し指の先端をスライドレバーツマミにあてがい、半音切り替え用のスライドレバーをいつでも押せるようにして、左右の手の平で保持する。人差し指と親指で前後のカバーを強く挟み、スライド式クロマチックハーモニカが滑り動かないようにして使用する。
【０００３】
また保持した左右の手の平で音を溜める密閉された空間を作り、その空間を片方の手または左右の手の一部を開閉することでビブラート奏法を行っている。
【先行技術文献】
【特許文献】
【０００４】
【特許文献１】実用新案登録第３１６６４９５号公報
【考案の概要】
【考案が解決しようとする課題】
【０００５】
スライド式クロマチックハーモニカを演奏する際、片方の手の人差し指と親指で、前後のカバーを挟むが、スライド式クロマチックハーモニカの自重と、演奏中吹き口に上下の唇を接触し押しつけるため、スライド式クロマチックハーモニカが、人差し指と親指の間から容易に滑り動くことが多く、演奏しにくい欠点があった。
【０００６】
また演奏する際、スライド式クロマチックハーモニカを保持した片方の手と、半音切り替え用のスライドレバーツマミを押すために使用するもう一方の手で、音を溜める密閉空間を作り、ビブラート奏法を行うが、小さな手の場合、左右の手が離れて密着できず、音を溜める密閉した空間を作ることが容易にできないため、ビブラート奏法を行うことが困難であった。
【課題を解決するための手段】
【０００７】
カバーが、ボディーの底面よりも更に下方に長深く形成されたスライド式クロマチックハーモニカにおいて、ボディーの前後を覆うカバーの両裾の左右端部を内側に約２０ｍｍ、底から約１０ｍｍ切り欠き、手の人差し指と親指の間で保持できる切り欠き保持部を設ける。
以上の構成よりなる切り欠き保持部付きスライド式クロマチックハーモニカである。
【考案の効果】
【０００８】
演奏する際、左右の手で保持するが、ボディーを覆うカバーの両裾の左右端部に設けた切り欠きにより形成された角部に、スライド式クロマチックハーモニカを保持する手の人指し指と親指の間が納まり固定され、滑り動くことがなく演奏することができる。
【０００９】
またボディーを覆うカバーの両裾の左右端部に設けた切り欠き保持部の角に、手の人差し指と親指の間が納まることにより、スライド式クロマチックハーモニカを保持している左右の手が近づき、密着することにより、小さな手の場合でも音を溜める密閉した空間を作ることができ、容易にビブラート奏法を行うことができる。
【図面の簡単な説明】
【００１０】
【図１】本考案の実施の形態を示した斜視図である。
【図２】本考案の第１の使用状態を示す斜視図である。
【図３】本考案の第２の使用状態を示す斜視図である。
【図４】従来のスライド式クロマチッハーモニカの斜視図である。
【図５】従来のスライド式クロマチックハーモニカの使用状態を示す斜視図である。
【考案を実施するための形態】
【００１１】
以下、本考案の実施の形態を図面に基づき説明する。
【００１２】
図１は本考案の実施の形態を示した斜視図で、図２と図３は本考案を使用した時の状態を示した斜視図ある。また図４は従来のスライド式クロマチックハーモニカの一例を示す斜視図で、図５はその使用状態を示す斜視図である。
【００１３】
図１で示すように、カバー（１）が、ボディー（２）の底面よりも更に下方に長深く形成されたスライド式クロマチックハーモニカにおいて、ボディー（２）の前後を覆うカバー（１）の両裾の左右端部を内側に約２０ｍｍ、底から約１０ｍｍ切り欠き、図２で示すように、手（５）の人差し指と親指の間で保持できる切り欠き保持部（６）を設ける。
本考案は以上のような構造である。
【００１４】
図５で示すように、従来のスライド式クロマチックハーモニカは、手（５）の人指し指と親指でカバー（１）を挟み、左右の手（５）で保持し、上下の唇を吹き口（３）に押し付けて演奏するものであるが、その際、スライド式クロマチックハーモニカの自重および上下の唇で吹き口（３）を押し付ける力により、保持している手（５）の人差し指と親指の間で、スライド式クロマチックハーモニカが容易に滑り動き演奏しにくい。本考案を使用する時は、従来のスライド式クロマチックハーモニカと同様に、人差し指と親指で挟むようにして手（５）で保持するが、図１と図２で示すように、カバー（１）がボディー（２）の底面よりも更に下方に長深く形成されたスライド式クロマチックハーモニカにおいて、ボディー（２）の前後を覆うカバー（１）の両裾の左右端部を内側に約２０ｍｍ、底から約１０ｍｍ切り欠き形成した切り欠き保持部（６）に、手（５）の人差し指と親指の間が納まりそして固定され、滑り動くことがなくなる。
【００１５】
また、従来のスライド式クロマチックハーモニカは、手（５）の人指し指と親指でカバー（１）を挟み、もう片方の手（５）の人差し指の先端をスライドレバーツマミ（４）にあてがいスライドレバーツマミ（４）を、いつでも押せるようにして、左右の手（５）で保持するが、スライド式クロマチックハーモニカのボディー（２）およびカバー（１）の長手幅が大きいため、小さな手（５）の場合、左右の手（５）が離れて、容易に密閉した空間を作ることができないため、ビブラート奏法を行うことが困難であった。本考案を使用する時は、従来のスライド式クロマチックハーモニカと同様に、左右の手（５）で保持するが、図３で示すように、ボディー（２）を覆うカバー（１）の両裾の左右端部に設けた切り欠き保持部（６）の角部に、片方の手（５）の人差し指と親指の間が納まることにより、スライド式クロマチックハーモニカを保持している左右の手（５）が近づき、密着することにより、小さな手の場合でも音を溜める密閉した空間を作ることができ、容易にビブラート奏法を行うことができる。
【００１６】
尚、スライド式クロマチックハーモニカのカバー（１）の短手幅がボディー（２）の短手幅と同じ場合は、切り欠き保持部（６）を分離させて、取り付け外し型に形成して使用することもできる。
【符号の説明】
【００１７】
１    カバー
２    ボディー
３    吹き口
４    スライドレバーツマミ
５    手
６    切り欠き保持部
【図１】
0003168860.tif 000003
【図２】
0003168860.tif 000004
【図３】
0003168860.tif 000005
【図４】
0003168860.tif 000006
【図５】
0003168860.tif 000007